(57)【要約】本発明にかかる情報再生装置、及び方法は、媒体に記録された情報を再生する際に常時トランジェント補正を行うと正常な信号部で信号品質を劣化させるという課題を解決するためになされたものであり、サグキャンセル制御部（１０３）がピックアップ出力信号（Ｓ１０１）の正常・異常を検出し、ピックアップ出力信号（Ｓ１０１）が異常であると検出された期間についてのみ、サグキャンセル部（１０４）によりトランジェント補正を行うことにより、正常な信号部に対してトランジェント補正を行うことによる信号品質の劣化を防止することができるとともに、異常な信号部については適切なトランジェント補正を行うことができ、安定した再生信号（Ｓ１０４）を得ることが可能になる。
2004102540.tif 000002
【特許請求の範囲】
【請求項１】
媒体に記録された情報を再生する情報再生装置において、
媒体に記録された情報を抽出し、抽出した信号を出力するピックアップと、
前記ピックアップから出力される信号のトランジェント状態を検出し、該検出結果をトランジェント状態検出信号として出力するサグ検出部と、
前記ピックアップから出力される信号の正常・異常を検出するサグキャンセル制御部と、
前記サグキャンセル制御部が正常と判断する期間については、前記ピックアップから出力される信号のトランジェント補正を行わず、前記サグキャンセル制御部が異常と判断する期間についてのみ、前記サグ検出部から出力されるトランジェント状態検出信号に基づいて前記ピックアップから出力される信号のトランジェント補正を行うサグキャンセル部とを備える、
ことを特徴とする情報再生装置。
【請求項２】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ＡＤ変換部から出力されるデジタル信号のトランジェント状態を検出し、該検出結果をトランジェント状態検出信号として出力するサグ検出部と、
前記ＡＤ変換部から出力されるデジタル信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項３】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ピックアップから出力される信号のトランジェント状態を検出し、該検出結果をトランジェント状態検出信号として出力するサグ検出部と、
前記ＡＤ変換部から出力されるデジタル信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項４】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ＡＤ変換部から出力されるデジタル信号のトランジェント状態を検出し、該検出結果をトランジェント状態検出信号として出力するサグ検出部と、
前記ピックアップから出力される信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項５】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ピックアップから出力される信号のトランジェント状態を検出し、該検出結果をトランジェント状態検出信号として出力するサグ検出部と、
前記ピックアップから出力される信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項６】
請求の範囲第１項から請求の範囲第５項の何れかに記載の情報再生装置において、
前記サグキャンセル制御部は、前記ピックアップから出力される信号から検出される欠陥情報に基づいて前記ピックアップから出力される信号の正常・異常を判断する、
ことを特徴とする情報再生装置。
【請求項７】
請求の範囲第１項から請求の範囲第５項の何れかに記載の情報再生装置において、
前記サグキャンセル制御部は、前記ピックアップがデトラック状態になったことを示すデトラック検出情報に基づいて、前記ピックアップから出力される信号の正常・異常を判断する、
ことを特徴とする情報再生装置。
【請求項８】
請求の範囲第１項から請求の範囲第５項の何れかに記載の情報再生装置において、
前記サグキャンセル制御部は、ピックアップがデトラック状態になったことを示すデトラック検出情報及び前記ピックアップから出力される信号から検出される欠陥情報に基づいて、前記ピックアップで抽出された信号の正常・異常を判断する、
ことを特徴とする情報再生装置。
【請求項９】
請求の範囲第６項または請求の範囲第８項に記載の情報再生装置において、
前記サグキャンセル制御部は、前記欠陥情報が示す欠陥期間を所定の期間さらに延長し、該延長してなる期間を、前記ピックアップで抽出された信号が異常である期間と判断する、
ことを特徴とする情報再生装置。
【請求項１０】
請求の範囲第１項から請求の範囲第５項の何れかに記載の情報再生装置において、
前記サグキャンセル制御部は、前記ピックアップから出力される信号の振幅情報に基づいて、前記ピックアップから出力される信号の正常・異常を判断する、
ことを特徴とする情報再生装置。
【請求項１１】
請求の範囲第１項から請求の範囲第５項の何れかに記載の情報再生装置において、
前記サグキャンセル部から出力される信号の２値化信号を基準周波数に追従させるＰＬＬを備え、
前記サグキャンセル制御部は、前記ＰＬＬから出力されるステート情報に基づいて、前記ピックアップで抽出された信号の正常・異常を判断する、
ことを特徴とする情報再生装置。
【請求項１２】
ディスクに記録された情報を再生する情報再生方法において、
ディスクからの信号のトランジェント状態を検出し、該検出結果をトランジェント状態検出信号として出力するサグ検出ステップと、
ディスクからの信号の正常・異常を検出するサグキャンセル制御ステップと、
前記サグキャンセル制御ステップで正常と判断された期間については、前記ディスクからの信号のトランジェント補正を行わず、前記サグキャンセル制御ステップで異常と判断された期間についてのみ、前記トランジェント状態検出信号に基づいて、前記ディスクからの信号のトランジェント補正を行うサグキャンセルステップと、を有する、
ことを特徴とする情報再生方法。
【発明の詳細な説明】
【技術分野】  本発明は、再生データの信号品質を改善する情報再生装置に関し、特に、ピックアップで抽出した信号のトランジェントの補正を行うことにより信号劣化の少ない再生データを得る情報再生装置に関するものである。
【背景技術】  情報再生装置の市場が成長している現在、情報再生装置には高い再生信号の品質が望まれている。再生信号の品質が望まれている中で情報を再生するにあたって、記録媒体に媒体の欠陥やごみ、指紋等が付着しているとピックアップで抽出した信号が不安定になることがある。しかし、このような状態が発生しても安定に情報を再生できなければ、再生信号品質のよい情報再生装置を構成することができない。
そのため、例えば、特開平１０−１０６１６０号公報に示すような従来の情報再生装置では、ピックアップのトランジェント状態を補正するサグキャンセルを常時実行することにより、不安定な再生状態に対応して適切な再生信号を得ていた。
そして、このような信号のトランジェント補正を行うサグキャンセルは、欠陥通過後の再生信号の安定性を向上させるために非常に有効な手段であった。
しかしながら、従来の情報再生装置では、常にピックアップで抽出された信号に対してトランジェント補正を行っていたため、欠陥部の再生信号品質は向上するが、欠陥部以外の信号も圧縮されるため、実際の信号ジッタが悪化する可能性が高いといった問題点を有していた。
本発明は、前記課題に鑑みてなされたものであり、欠陥通過後の再生信号の安定性を向上させつつ、欠陥の無い正常な信号部においても品質劣化の少ない情報再生装置を提供することを目的とする。
【発明の開示】
本発明の請求の範囲第１項にかかる情報再生装置は、媒体に記録された情報を再生する情報再生装置において、媒体に記録された情報を抽出し、抽出した信号を出力するピックアップと、前記ピックアップから出力される信号のトランジェント状態を検出し、該検出結果をトランジェント状態検出信号として出力するサグ検出部と、前記ピックアップから出力される信号の正常・異常を検出するサグキャンセル制御部と、前記サグキャンセル制御部が正常と判断する期間については、前記ピックアップから出力される信号のトランジェント補正を行わず、前記サグキャンセル制御部が異常と判断する期間についてのみ、前記サグ検出部から出力されるトランジェント状態検出信号に基づいて前記ピックアップから出力される信号のトランジェント補正を行うサグキャンセル部とを備えることを特徴とするものである。
そして、この請求の範囲第１項にかかる情報再生装置によれば、正常な信号部に対してトランジェント補正を行うことによる信号品質の劣化を防止することができるとともに、異常な信号部については適切なトランジェント補正を行うことができるため、サグキャンセル部から安定した再生信号を得ることが可能になる。
また、本発明の請求の範囲第２項にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ＡＤ変換部から出力されるデジタル信号のトランジェント状態を検出し、該検出結果をトランジェント状態検出信号として出力するサグ検出部と、前記ＡＤ変換部から出力されるデジタル信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
そして、この請求の範囲第２項にかかる情報再生装置によれば、サグ検出部、サグキャンセル制御部、及びサグキャンセル部をデジタル回路により構成できるため、プロセスシュリンクに強い回路構成を得ることができるとともに、サグ検出部、サグキャンセル制御部、及びサグキャンセル部をアナログ回路で構成した時と異なり、コンデンサ等が不要となるため回路面積の低減を図ることが可能になる。
また、本発明の請求の範囲第３項にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ピックアップから出力される信号のトランジェント状態を検出し、該検出結果をトランジェント状態検出信号として出力するサグ検出部と、前記ＡＤ変換部から出力されるデジタル信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
そして、この請求の範囲第３項にかかる情報再生装置によれば、サグ検出部の応答性能を保持しつつ、サグキャンセル制御部、及びサグキャンセル部をデジタル回路により構成できるため、プロセスシュリンクに強い回路構成を得ることができるとともに、サグキャンセル制御部、及びサグキャンセル部をアナログ回路で構成した時と異なり、コンデンサ等が不要となるため回路面積の低減を図ることが可能になる。
また、本発明の請求の範囲第４項にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ＡＤ変換部から出力されるデジタル信号のトランジェント状態を検出し、該検出結果をトランジェント状態検出信号として出力するサグ検出部と、前記ピックアップから出力される信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
そして、この請求の範囲第４項にかかる情報再生装置によれば、サグキャンセル制御部の応答性能を保持しつつ、サグ検出部、及びサグキャンセル部をデジタル回路により構成できるため、プロセスシュリンクに強い回路構成を得ることができるとともに、サグ検出部、及びサグキャンセル部をアナログ回路で構成した時と異なり、コンデンサ等が不要となるため回路面積の低減を図ることが可能になる。
また、本発明の請求の範囲第５項にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ピックアップから出力される信号のトランジェント状態を検出し、該検出結果をトランジェント状態検出信号として出力するサグ検出部と、前記ピックアップから出力される信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
そして、この請求の範囲第５項にかかる情報再生装置によれば、サグ検出部、及びサグキャンセル制御部の応答性能を保持しつつ、サグキャンセル部をデジタル回路により構成できるため、プロセスシュリンクに強い回路構成を得ることができるとともに、サグキャンセル部をアナログ回路で構成した時と異なり、コンデンサ等が不要となるため回路面積の低減を図ることが可能になる。
また、本発明の請求の範囲第６項にかかる情報再生装置は、前記サグキャンセル制御部が、前記ピックアップから出力される信号から検出される欠陥情報に基づいて前記ピックアップから出力される信号の正常・異常を判断することを特徴とするものである。
また、本発明の請求の範囲第７項にかかる情報再生装置は、前記サグキャンセル制御部が、前記ピックアップがデトラック状態になったことを示すデトラック検出情報に基づいて、前記ピックアップから出力される信号の正常・異常を判断することを特徴とするものである。
また、本発明の請求の範囲第８項にかかる情報再生装置は、前記サグキャンセル制御部が、ピックアップがデトラック状態になったことを示すデトラック検出情報及び前記ピックアップから出力される信号から検出される欠陥情報に基づいて、前記ピックアップで抽出された信号の正常・異常を判断することを特徴とするものである。
また、本発明の請求の範囲第９項にかかる情報再生装置は、前記サグキャンセル制御部が、前記欠陥情報が示す欠陥期間を所定の期間さらに延長し、該延長してなる期間を、前記ピックアップで抽出された信号が異常である期間と判断することを特徴とするものである。
また、本発明の請求の範囲第１０項にかかる情報再生装置は、前記サグキャンセル制御部が、前記ピックアップから出力される信号の振幅情報に基づいて、前記ピックアップから出力される信号の正常・異常を判断することを特徴とするものである。
また、本発明の請求の範囲第１１項にかかる情報再生装置は、前記サグキャンセル部から出力される信号の２値化信号を基準周波数に追従させるＰＬＬをさらに備え、前記サグキャンセル制御部は、前記ＰＬＬから出力されるステート情報に基づいて、前記ピックアップで抽出された信号の正常・異常を判断することを特徴とするものである。
また、本発明の請求の範囲第１２項にかかる情報再生方法は、ディスクに記録された情報を再生する情報再生方法において、ディスクからの信号のトランジェント状態を検出し、該検出結果をトランジェント状態検出信号として出力するサグ検出ステップと、ディスクからの信号の正常・異常を検出するサグキャンセル制御ステップと、前記サグキャンセル制御ステップで正常と判断された期間については、前記ディスクからの信号のトランジェント補正を行わず、前記サグキャンセル制御ステップで異常と判断された期間についてのみ、前記トランジェント状態検出信号に基づいて、前記ディスクからの信号のトランジェント補正を行うサグキャンセルステップとを有することを特徴とするものである。
そして、この請求の範囲第１２項にかかる情報再生方法によれば、正常な信号部に対してトランジェント補正を行うことによる信号品質の劣化を防止することができるとともに、異常な信号部については適切なトランジェント補正を行うことができるため、サグキャンセル部から安定した再生信号を得ることが可能になる。
【図面の簡単な説明】  第１図は、本発明の実施の形態１による情報再生装置の構成の一例を示すブロック図である。
第２図は、本発明の実施の形態１による情報再生装置のサグ検出部の動作を説明するための説明図である。
第３図は、本発明の実施の形態１による情報再生装置のサグキャンセル制御部の動作を説明するための説明図である。
第４図は、本発明の実施の形態１による情報再生装置のサグキャンセル部の動作を説明するための説明図である。
第５図は、本発明の実施の形態１による情報再生装置のサグキャンセル制御部の他の動作例を説明するための説明図である。
第６図は、本発明の実施の形態２による情報再生装置の構成の一例を示すブロック図である。
第７図は、本発明の実施の形態３による情報再生装置の構成の一例を示すブロック図である。
第８図は、本発明の実施の形態４による情報再生装置の構成の一例を示すブロック図である。
第９図は、本発明の実施の形態５による情報再生装置の構成の一例を示すブロック図である。
第１０図は、本発明の実施の形態６による情報再生装置の構成の一例を示すブロック図である。
第１１図は、本発明の実施の形態６による情報再生装置のサグキャンセル制御部の動作を説明するための説明図である。
第１２図は、本発明の実施の形態７による情報再生装置の構成の一例を示すブロック図である。
第１３図は、本発明の実施の形態７による情報再生装置のサグキャンセル制御部の動作を説明するための説明図である。
【発明を実施するための最良の形態】（実施の形態１）
第１図は、本発明の実施の形態１による情報再生装置の構成の一例を示すブロック図である。
第１図において、本発明にかかる情報再生装置は、ピックアップ１０１と、サグ検出部１０２と、サグキャンセル制御部１０３と、サグキャンセル部１０４とからなる。なお、ここでは、サグ検出部１０２、サグキャンセル制御部１０３、及びサグキャンセル部１０４がアナログ回路で構成されている。
ピックアップ１０１は、媒体に記録された情報を抽出し、抽出した信号Ｓ１０１をサグ検出部１０２、サグキャンセル制御部１０３、及びサグキャンセル部１０４にそれぞれ出力する。
サグ検出部１０２は、ピックアップ出力信号Ｓ１０１のトランジェント状態を検出するものであり、ここでは、ピックアップ出力信号Ｓ１０１のピークエンベロープとボトムエンベロープとの中点からサグを求め、求めたサグをトランジェント状態検出信号Ｓ１０２としてサグキャンセル部１０４に出力するものとする。
サグキャンセル制御部１０３は、ピックアップ出力信号Ｓ１０１の正常・異常を検出するものであり、ここでは、ピックアップ出力信号Ｓ１０１から欠陥情報を検出した後、欠陥部分を異常な信号、欠陥部分以外を正常な信号と判断し、ピックアップ出力信号Ｓ１０１の正常・異常を示すサグキャンセル制御信号Ｓ１０３としてサグキャンセル部１０４に出力する。
サグキャンセル部１０４は、サグキャンセル制御部１０３から出力されるサグキャンセル制御信号Ｓ１０３に基づいて、ピックアップ出力信号Ｓ１０１のトランジェント補正を行うか否かを決定し、トランジェント補正が必要な信号に対してのみトランジェント補正を行うものであり、具体的には、サグキャンセル制御部１０３が正常と判断している期間は、ピックアップ出力信号Ｓ１０１のトランジェント補正を行わず、サグキャンセル制御部１０３が異常と判断した期間にのみ、サグ検出部１０２で検出されたトランジェント状態検出信号Ｓ１０２に基づいて、ピックアップ出力信号Ｓ１０１のトランジェント補正を行うようにし、生成した信号を再生信号Ｓ１０４として出力する。
次に、本発明の実施の形態１による情報再生装置の動作について説明する。
以下に、先ずサグ検出部１０２の動作について説明する。
第２図は、サグ検出部１０２の動作を説明するための説明図である。
第２図において、上から、ピックアップ１０１から出力されるピックアップ出力信号Ｓ１０１、サグ検出部１０２から出力されるトランジェント状態検出信号Ｓ１０２をそれぞれ示す。
サグ検出部１０２にピックアップ出力信号Ｓ１０１が入力されると、サグ検出部１０２は、先ず、ピックアップ出力信号Ｓ１０１のピークエンベロープとボトムエンベロープを検出（第２図の破線）し、（ピークエンベロープ＋ボトムエンベロープ）／２の演算を行い、ピークエンベロープとボトムエンベロープとの中点を算出する。
そして、このようにしてピークエンベロープとボトムエンベロープの中点から求められたサグを、サグ検出部１０２は、トランジェント状態検出信号Ｓ１０２としてサグキャンセル部１０４に出力する。
次に、サグキャンセル制御部１０３の動作について説明する。
第３図は、サグキャンセル制御部１０３の動作を説明するための説明図である。
第３図において、上から、ピックアップ１０１から出力されるピックアップ出力信号Ｓ１０１、サグキャンセル制御部１０３で検出された欠陥情報、サグキャンセル制御部１０３から出力されるサグキャンセル制御信号Ｓ１０３をそれぞれ示す。
サグキャンセル制御部１０３にピックアップ出力信号Ｓ１０１が入力されると、サグキャンセル制御部１０３は、先ず、欠陥情報の検出を行う。
欠陥情報の検出の具体例としては、例えば、サグキャンセル制御部１０３が、ピックアップ出力信号Ｓ１０１と欠陥検出用のスライスレベルとを比較し、欠陥検出用のスライスレベルより信号レベルが暗い方に表れる場合に、当該信号を欠陥情報として検出するものが考えられる。なお、第３図では、ピックアップ出力信号Ｓ１０１のセンターレベルを欠陥検出用のスライスレベルとし、ピックアップ出力信号Ｓ１０１のピークエンベロープが欠陥検出用のスライスレベルより暗い方に表れた場合に欠陥情報として検出するようにしている。
次に、サグキャンセル制御部１０３は、検出した欠陥情報に基づいて、欠陥であることが検出された期間を異常な信号、欠陥が検出されなかった期間を正常な信号と判断し、第３図に示すサグキャンセル制御信号Ｓ１０３をサグキャンセル部１０４に出力する。
最後に、サグキャンセル部１０４の動作について説明する。
第４図は、サグキャンセル部１０４の動作を説明するための説明図である。
第４図において、上から、ピックアップ１０１から出力されるピックアップ出力信号Ｓ１０１、サグ検出部１０２から出力されるトランジェント状態検出信号Ｓ１０２、サグキャンセル制御部１０３から出力されるサグキャンセル制御信号Ｓ１０３、サグキャンセル部１０４から出力される再生信号Ｓ１０４をそれぞれ示す。
サグキャンセル部１０４は、先ず、サグキャンセル制御部１０３から出力されるサグキャンセル制御信号Ｓ１０３に基づいて、ピックアップ出力信号Ｓ１０１のトランジェント補正を行うか否かを決定する。
具体的には、サグキャンセル制御信号Ｓ１０３が正常を示している期間はトランジェント補正を行わず、サグキャンセル制御信号Ｓ１０３が異常を示している期間についてのみトランジェント補正を行う。
そして、サグキャンセル部１０４は、サグキャンセル制御信号Ｓ１０３が正常であることを示している期間については、ピックアップ出力信号Ｓ１０１をそのまま再生信号Ｓ１０４として出力し、正常な信号部に対してトランジェント補正を行うことによる信号品質の劣化を防止する。
一方で、サグキャンセル部１０４は、サグキャンセル制御信号Ｓ１０３が異常であることを示している期間については、ピックアップ出力信号Ｓ１０１のトランジェント補正を行い、補正後の信号を再生信号Ｓ１０４として出力する。
なお、サグキャンセル部１０４によるピックアップ出力信号Ｓ１０１のトランジェント補正は、サグ検出部１０２で検出されたトランジェント状態検出信号Ｓ１０２を信号のセンターレベルに近づけるように、ピックアップ出力信号Ｓ１０１を補正することにより行われる。
以上のように、本発明の実施の形態１による情報再生装置によれば、サグキャンセル制御部１０３がピックアップ出力信号Ｓ１０１の正常・異常を欠陥情報に基づいて検出し、ピックアップ出力信号Ｓ１０１が異常であると検出された期間についてのみ、サグキャンセル部１０４によりトランジェント補正を行うことにより、正常な信号部に対してトランジェント補正を行うことによる信号品質の劣化を防止することができるとともに、異常な信号部については適切なトランジェント補正を行うことができ、サグキャンセル部１０４から安定した再生信号Ｓ１０４を得ることが可能になる。
なお、本発明の実施の形態１による情報再生装置では、サグ検出部１０２が、ピークエンベロープとボトムエンベロープの中点を検出し、サグキャンセル部１０４が、該検出したサグ検出部１０２がピークエンベロープとボトムエンベロープの中点をピックアップ出力信号Ｓ１０１のセンターレベルに近づけるように、ピックアップ出力信号Ｓ１０１のトランジェント補正を行うものについて説明したが、サグ検出部１０２が、ピークエンベロープ、或いはボトムエンベロープのみを検出し、サグキャンセル部１０４が、該検出したピークエンベロープ、或いはボトムエンベロープを、ピックアップ出力信号Ｓ１０１のセンターレベルに近づけるように、ピックアップ出力信号Ｓ１０１のトランジェント補正を行うものの他、サグ検出部１０２が、ピックアップ出力信号Ｓ１０１（ＲＦ信号）のＤＣ成分を検出し、サグキャンセル部１０４が、該検出したピックアップ出力信号Ｓ１０１のＤＣ成分の積算レベルを零に近づけるようにピックアップ出力信号Ｓ１０１のトランジェント補正を行うようにしても良い。
また、本発明の実施の形態１による情報再生装置のサグキャンセル制御部１０３では、欠陥情報の検出方法として、予め定めた欠陥検出用のスライスレベルを用い、ピックアップ出力信号Ｓ１０１のエンベロープが欠陥検出用のスライスレベルより信号レベルが暗い方に表れた場合に当該信号を欠陥情報として検出するものについて説明したが、欠陥情報の検出方法としては他のいかなる方法を用いてもよく、例えば、第３図に示したように検出した欠陥情報を、第５図に示すように、予め設定した所定の時間延長して、サグキャンセル制御信号Ｓ１０３の異常と判断される期間を前記所定の期間分延長することにより、サグキャンセル制御部１０３の応答遅延による誤差を補償するようにしてもよい。
また、発明の実施の形態１による情報再生装置のサグキャンセル制御部１０３では、欠陥情報を用いてピックアップ１０１から出力される信号の正常・異常を判断するものについて説明したが、例えば、サグキャンセル制御部１０３が、ピックアップ１０１から出力される信号の出力振幅情報を検出し、出力振幅が予め定めた所定の振幅より小さい部分を異常な信号、それ以外の部分を正常な信号と判断し、ピックアップ出力信号Ｓ１０１の正常・異常を示すサグキャンセル制御信号Ｓ１０３としてサグキャンセル部１０４に出力するようにしてもよい。
（実施の形態２）
第６図は、本発明の実施の形態２による情報再生装置の構成の一例を示すブロック図である。
第６図において、本発明の実施の形態２にかかる情報再生装置は、ピックアップ２０１と、サグ検出部２０２と、サグキャンセル制御部２０３と、サグキャンセル部２０４と、ＡＤ変換部２０５とからなる。なお、ここでは、サグ検出部２０２、サグキャンセル制御部２０３、及びサグキャンセル部２０４がデジタル回路で構成されている。
ピックアップ２０１は、媒体に記録された情報を抽出し、抽出した信号Ｓ２０１をＡＤ変換部２０５に出力する。
ＡＤ変換部２０５は、ピックアップ出力信号Ｓ２０１をＡＤ変換し、デジタル化したピックアップ出力信号であるデジタル出力信号Ｓ２０５をサグ検出部２０２、サグキャンセル制御部２０３、及びサグキャンセル部２０４にそれぞれ出力する。
サグ検出部２０２は、デジタル出力信号Ｓ２０５のトランジェント状態を検出し、検出したトランジェント状態をトランジェント状態検出信号Ｓ２０２としてサグキャンセル部２０４に出力する。
サグキャンセル制御部２０３は、デジタル出力信号Ｓ２０５の正常・異常を検出し、デジタル出力信号Ｓ２０５の正常・異常を示すサグキャンセル制御信号Ｓ２０３をサグキャンセル部２０４に出力する。
サグキャンセル部２０４は、サグキャンセル制御部２０３から出力されるサグキャンセル制御信号Ｓ２０３に基づいて、デジタル出力信号Ｓ２０５が正常である期間は、ＡＤ変換部２０５から出力されるデジタル出力信号Ｓ２０５のトランジェント補正を行わず、デジタル出力信号Ｓ２０５が異常である期間についてのみ、サグ検出部から出力されるトランジェント状態検出信号Ｓ２０２に基づいて、ＡＤ変換部２０５から出力されるデジタル出力信号Ｓ２０５のトランジェント補正を行うようにし、生成した信号を再生信号Ｓ２０４として出力する。
なお、本発明の実施の形態２による情報再生装置は、サグ検出部２０２、サグキャンセル制御部２０３、及びサグキャンセル部２０４の入力信号が、ピックアップ２０１から出力されるピックアップ出力信号Ｓ２０１ではなく、ピックアップ出力信号Ｓ２０１のＡＤ変換後の信号Ｓ２０５である点において、前記実施の形態１による情報再生装置と異なるが、サグ検出部２０２、サグキャンセル制御部２０３、及びサグキャンセル部２０４の基本動作は、前記実施の形態１で説明したものと同様である。
以上のように、本発明の実施の形態２による情報再生装置によれば、ピックアップ２０１からのピックアップ出力信号Ｓ２０１をＡＤ変換するＡＤ変換部２０５を設け、サグ検出部２０２、サグキャンセル制御部２０３、及びサグキャンセル部２０４をデジタル回路により構成したことにより、プロセスシュリンクに強い回路構成を得ることができるとともに、サグ検出部２０２、サグキャンセル制御部２０３、及びサグキャンセル部２０４をアナログ回路で構成した時と異なり、コンデンサ等が不要となるため回路面積の低減を図ることが可能になる。
（実施の形態３）
第７図は、本発明の実施の形態３による情報再生装置の構成の一例を示すブロック図である。
第７図において、本発明の実施の形態３にかかる情報再生装置は、ピックアップ３０１と、サグ検出部３０２と、サグキャンセル制御部３０３と、サグキャンセル部３０４と、ＡＤ変換部３０５とからなる。なお、ここでは、サグ検出部３０２がアナログ回路で、サグキャンセル制御部３０３、及びサグキャンセル部３０４がデジタル回路で構成されている。
ピックアップ３０１は、媒体に記録された情報を抽出し、抽出した信号Ｓ３０１をサグ検出部３０２、及びＡＤ変換部３０５にそれぞれ出力する。
ＡＤ変換部３０５は、ピックアップ出力信号Ｓ３０１をＡＤ変換し、デジタル化したピックアップ出力信号であるデジタル出力信号Ｓ３０５をサグキャンセル制御部３０３、及びサグキャンセル部３０４にそれぞれ出力する。
サグ検出部３０２は、ピックアップ出力信号Ｓ３０１のトランジェント状態を検出し、検出したトランジェント状態をトランジェント状態検出信号Ｓ３０２としてサグキャンセル部３０４に出力する。
サグキャンセル制御部３０３は、デジタル出力信号Ｓ３０５の正常・異常を検出し、デジタル出力信号Ｓ３０５の正常・異常を示すサグキャンセル制御信号Ｓ３０３をサグキャンセル部３０４に出力する。
サグキャンセル部３０４は、サグキャンセル制御部３０３から出力されるサグキャンセル制御信号Ｓ３０３に基づいて、デジタル出力信号Ｓ３０５が正常である期間は、ＡＤ変換部３０５から出力されるデジタル出力信号Ｓ３０５のトランジェント補正を行わず、デジタル出力信号Ｓ３０５が異常である期間についてのみ、サグ検出部から出力されるトランジェント状態検出信号Ｓ３０２に基づいて、ＡＤ変換部３０５から出力されるデジタル出力信号Ｓ３０５のトランジェント補正を行うようにし、生成した信号を再生信号Ｓ３０４として出力する。
なお、本発明の実施の形態３による情報再生装置は、サグキャンセル制御部３０３、及びサグキャンセル部３０４の入力信号が、ピックアップ３０１から出力されるピックアップ出力信号Ｓ３０１ではなく、ピックアップ出力信号Ｓ３０１のＡＤ変換後の信号Ｓ３０５である点において、前記実施の形態１による情報再生装置と異なるが、サグ検出部３０２、サグキャンセル制御部３０３、及びサグキャンセル部３０４の基本動作は、前記実施の形態１で説明したものと同様である。
以上のように、本発明の実施の形態３による情報再生装置によれば、ピックアップ３０１からのピックアップ出力信号Ｓ３０１をＡＤ変換するＡＤ変換部３０５を設け、サグキャンセル制御部３０３、及びサグキャンセル部３０４をデジタル回路により構成したことにより、サグ検出部３０２の応答性能を保持しつつ、デジタル回路により構成したサグキャンセル制御部３０３、及びサグキャンセル部３０４については、プロセスシュリンクに強い回路構成を得ることができる。また、サグキャンセル制御部３０３、及びサグキャンセル部３０４をアナログ回路で構成した時と異なり、コンデンサ等が不要となるため回路面積の低減を図ることが可能になる。
（実施の形態４）
第８図は、本発明の実施の形態４による情報再生装置の構成の一例を示すブロック図である。
第８図において、本発明の実施の形態４にかかる情報再生装置は、ピックアップ４０１と、サグ検出部４０２と、サグキャンセル制御部４０３と、サグキャンセル部４０４と、ＡＤ変換部４０５とからなる。なお、ここでは、サグキャンセル制御部４０３がアナログ回路で、サグ検出部４０２、及びサグキャンセル部４０４がデジタル回路で構成されている。
ピックアップ４０１は、媒体に記録された情報を抽出し、抽出した信号Ｓ４０１をサグキャンセル制御部４０３、及びＡＤ変換部４０５にそれぞれ出力する。
ＡＤ変換部４０５は、ピックアップ出力信号Ｓ４０１をＡＤ変換し、デジタル化したピックアップ出力信号であるデジタル出力信号Ｓ４０５をサグ検出部４０２、及びサグキャンセル部４０４にそれぞれ出力する。
サグ検出部４０２は、デジタル出力信号Ｓ４０５のトランジェント状態を検出し、検出したトランジェント状態をトランジェント状態検出信号Ｓ４０２としてサグキャンセル部４０４に出力する。
サグキャンセル制御部４０３は、ピックアップ出力信号Ｓ４０１の正常・異常を検出し、ピックアップ出力信号Ｓ４０１の正常・異常を示すサグキャンセル制御信号Ｓ４０３をサグキャンセル部４０４に出力する。
サグキャンセル部４０４は、サグキャンセル制御部４０３から出力されるサグキャンセル制御信号Ｓ４０３に基づいて、デジタル出力信号Ｓ４０５が正常である期間は、ＡＤ変換部４０５から出力されるデジタル出力信号Ｓ４０５のトランジェント補正を行わず、デジタル出力信号Ｓ４０５が異常である期間についてのみ、サグ検出部から出力されるトランジェント状態検出信号Ｓ４０２に基づいて、ＡＤ変換部４０５から出力されるデジタル出力信号Ｓ４０５のトランジェント補正を行うようにし、生成した信号を再生信号Ｓ４０４として出力する。
なお、本発明の実施の形態４による情報再生装置は、サグ検出部４０２、及びサグキャンセル部４０４の入力信号が、ピックアップ４０１から出力されるピックアップ出力信号Ｓ４０１ではなく、ピックアップ出力信号Ｓ４０１のＡＤ変換後の信号Ｓ４０５である点において、前記実施の形態１による情報再生装置と異なるが、サグ検出部４０２、サグキャンセル制御部４０３、及びサグキャンセル部４０４の基本動作は、前記実施の形態１で説明したものと同様である。
以上のように、本発明の実施の形態４による情報再生装置によれば、ピックアップ４０１からのピックアップ出力信号Ｓ４０１をＡＤ変換するＡＤ変換部４０５を設け、サグ検出部４０２、及びサグキャンセル部４０４をデジタル回路により構成したことにより、アナログ回路で構成されたサグキャンセル制御部４０３の応答性能を保持しつつ、デジタル回路により構成したサグ検出部４０２、及びサグキャンセル部４０４については、プロセスシュリンクに強い回路構成を得ることができる。また、サグ検出部４０２、及びサグキャンセル部４０４をアナログ回路で構成した時と異なり、コンデンサ等が不要となるため回路面積の低減を図ることが可能になる。
（実施の形態５）
第９図は、本発明の実施の形態５による情報再生装置の構成の一例を示すブロック図である。
第９図において、本発明の実施の形態５にかかる情報再生装置は、ピックアップ５０１と、サグ検出部５０２と、サグキャンセル制御部５０３と、サグキャンセル部５０４と、ＡＤ変換部５０５とからなる。なお、ここでは、サグ検出部５０２、及びサグキャンセル制御部５０３がアナログ回路で、サグキャンセル部５０４がデジタル回路で構成されている。
ピックアップ５０１は、媒体に記録された情報を抽出し、抽出した信号Ｓ５０１をサグ検出部５０２、サグキャンセル制御部５０３、及びＡＤ変換部５０５にそれぞれ出力する。
ＡＤ変換部５０５は、ピックアップ出力信号Ｓ５０１をＡＤ変換し、デジタル化したピックアップ出力信号であるデジタル出力信号Ｓ５０５をサグキャンセル部５０４に出力する。
サグ検出部５０２は、ピックアップ出力信号Ｓ５０１のトランジェント状態を検出し、検出したトランジェント状態をトランジェント状態検出信号Ｓ５０２としてサグキャンセル部５０４に出力する。
サグキャンセル制御部５０３は、ピックアップ出力信号Ｓ５０１の正常・異常を検出し、ピックアップ出力信号Ｓ５０１の正常・異常を示すサグキャンセル制御信号Ｓ５０３をサグキャンセル部５０４に出力する。
サグキャンセル部５０４は、サグキャンセル制御部５０３から出力されるサグキャンセル制御信号Ｓ５０３に基づいて、デジタル出力信号Ｓ５０５が正常である期間は、ＡＤ変換部５０５から出力されるデジタル出力信号Ｓ５０５のトランジェント補正を行わず、デジタル出力信号Ｓ５０５が異常である期間についてのみ、サグ検出部から出力されるトランジェント状態検出信号Ｓ５０２に基づいて、ＡＤ変換部５０５から出力されるデジタル出力信号Ｓ５０５のトランジェント補正を行うようにし、生成した信号を再生信号Ｓ５０４として出力する。
なお、本発明の実施の形態５による情報再生装置は、サグキャンセル部５０４の入力信号が、ピックアップ５０１から出力されるピックアップ出力信号Ｓ５０１ではなく、ピックアップ出力信号Ｓ５０１のＡＤ変換後の信号Ｓ５０５である点において、前記実施の形態１による情報再生装置と異なるが、サグ検出部５０２、サグキャンセル制御部５０３、及びサグキャンセル部５０４の基本動作は、前記実施の形態１で説明したものと同様である。
以上のように、本発明の実施の形態５による情報再生装置によれば、ピックアップ５０１からのピックアップ出力信号Ｓ５０１をＡＤ変換するＡＤ変換部５０５を設け、サグキャンセル部５０４をデジタル回路により構成したことにより、アナログ回路で構成されたサグ検出部５０２、及びサグキャンセル制御部５０３の応答性能を保持しつつ、デジタル回路により構成したサグキャンセル部５０４については、プロセスシュリンクに強い回路構成を得ることができる。また、サグキャンセル部５０４をアナログ回路で構成した時と異なり、コンデンサ等が不要となるため回路面積の低減を図ることが可能になる。
（実施の形態６）
次に、本発明の実施の形態６による情報再生装置として、前記実施の形態１で説明したサグキャンセル制御部１０３の別形態として、サグキャンセル制御部が、ピックアップがデトラック状態になったことを示すデトラック検出信号に基づいて、ピックアップ出力信号の正常・異常を検出するものについて説明する。
第１０図は、本発明の実施の形態６による情報再生装置の構成の一例を示すブロック図である。
第１０図において、本発明にかかる情報再生装置は、ピックアップ１０１と、サグ検出部１０２と、サグキャンセル制御部６０３と、サグキャンセル部１０４とからなる。なお、本発明の実施の形態６による情報再生装置において、前記本発明の実施の形態１による情報再生装置と同じ構成要素については、同じ符号を付し、ここでは説明を省略する。
サグキャンセル制御部６０３は、ピックアップ出力信号Ｓ１０１の正常・異常を検出するものであり、ここでは、ピックアップ１０１を制御するピックアップ駆動部６０５で検出されたデトラック検出信号Ｓ６０５に基づいて、デトラック部分を異常な信号、デトラック部分以外を正常な信号と判断し、ピックアップ出力信号Ｓ１０１の正常・異常を示すサグキャンセル制御信号Ｓ６０３としてサグキャンセル部１０４に出力する。
なお、ピックアップ１０１に設けられたピックアップ駆動部６０５は、ピックアップ１０１の駆動を制御するとともに、ピックアップがデトラック状態になったことを検出し、該検出したデトラック検出情報をデトラック検出信号Ｓ６０５としてサグキャンセル制御部６０３に出力する。
次に、サグキャンセル制御部６０３の動作について説明する。
第１１図は、サグキャンセル制御部６０３の動作を説明するための説明図である。
第１１図において、上から、ピックアップ１０１から出力されるピックアップ出力信号Ｓ１０１、ピックアップ駆動部６０５から出力されるデトラック検出信号Ｓ６０５、サグキャンセル制御部６０３から出力されるサグキャンセル制御信号Ｓ６０３を示す。
サグキャンセル制御部６０３は、ピックアップの駆動を制御するピックアップ駆動部６０５からピックアップがデトラック状態になったことを示すデトラック検出信号Ｓ６０５を受けると、当該デトラック検出信号Ｓ６０５に基づいて、デトラック部分を異常な信号、デトラック部分以外を正常な信号と判断し、第１１図に示すサグキャンセル制御信号Ｓ６０３をサグキャンセル部１０４に出力する。
その後、サグキャンセル部１０４では、前記実施の形態１で説明したように、サグキャンセル制御部６０３から出力されるサグキャンセル制御信号Ｓ６０３に基づいて、ピックアップ出力信号Ｓ１０１のトランジェント補正を行うか否かを決定し、トランジェント補正が必要な信号に対してのみトランジェント補正を行う。
以上のように、本発明の実施の形態６による情報再生装置によれば、サグキャンセル制御部６０３がピックアップ出力信号Ｓ１０１の正常・異常をピックアップ駆動部６０５で検出されるデトラック検出信号Ｓ６０５に基づいて検出し、ピックアップ出力信号Ｓ１０１が異常であると検出された期間についてのみ、サグキャンセル部１０４によりトランジェント補正を行うことにより、正常な信号部に対してトランジェント補正を行うことによる信号品質の劣化を防止することができるとともに、異常な信号部については適切なトランジェント補正を行うことができ、サグキャンセル部１０４から安定した再生信号Ｓ６０４を得ることが可能になる。
なお、本発明の実施の形態６による情報再生装置では、サグキャンセル制御部６０３が、ピックアップ駆動部６０５で検出されるデトラック検出信号Ｓ６０５に基づいてサグキャンセル制御信号Ｓ６０３を生成するものについて説明したが、サグキャンセル制御部６０３が、前記デトラック検出信号Ｓ６０５と前記実施の形態１で説明した欠陥情報とに基づいて、デトラック或いは欠陥のいずれかが検出された期間を異常な信号と判断するようにしてサグキャンセル制御信号Ｓ６０３を生成するようにしてもよい。
また、本発明の実施の形態６による情報再生装置では、実施の形態１による情報再生装置を例にとってサグキャンセル制御部６０３が、ピックアップ１０１がデトラック状態になったことを示すデトラック検出信号に基づいて、ピックアップ出力信号の正常・異常を検出するものについて説明したが、本実施の形態６で説明したサグキャンセル制御部６０３による処理を、本発明の実施の形態２から５で説明した情報再生装置に対して同様に適用してもよい。
（実施の形態７）
次に、本発明の実施の形態７による情報再生装置として、前記実施の形態１で説明したサグキャンセル制御部１０３の別形態として、サグキャンセル制御部が、ＰＬＬから出力されるＰＬＬのステート信号に基づいて、ピックアップ出力信号の正常・異常を検出するものについて説明する。
第１２図は、本発明の実施の形態７による情報再生装置の構成の一例を示すブロック図である。
第１２図において、本発明にかかる情報再生装置は、ピックアップ１０１と、サグ検出部１０２と、サグキャンセル制御部７０３と、サグキャンセル部１０４と、ＰＬＬ７０５からなる。なお、本発明の実施の形態７による情報再生装置において、前記本発明の実施の形態１による情報再生装置と同じ信号及び構成要素については、同じ符号を付し、ここでは説明を省略する。
ＰＬＬ７０５は、サグキャンセル部１０４から出力される再生信号Ｓ７０４の２値化信号を基準周波数に追従させるＰＬＬ処理を行うものであり、該ＰＬＬ処理における周波数追従や位相追従の状態を示すステート情報をサグキャンセル制御部７０３にＰＬＬのステート信号Ｓ７０５として出力する。なお、ここでは、ステート信号Ｓ７０５として位相追従の状態を示す信号が出力されるものについて説明するが、ステート信号Ｓ７０５としては、この他に周波数追従の状態や、周波数追従と位相追従の両状態を示す信号等を用いることが可能である。
サグキャンセル制御部７０３は、ピックアップ出力信号Ｓ１０１の正常・異常を検出するものであり、ここでは、ＰＬＬ７０５から出力されるＰＬＬのステート信号Ｓ７０５に基づいて、位相追従ＮＧの期間を異常な信号、位相追従ＯＫの期間を正常な信号と判断し、ピックアップ出力信号Ｓ１０１の正常・異常を示すサグキャンセル制御信号Ｓ７０３としてサグキャンセル部１０４に出力する。
次に、サグキャンセル制御部７０３の動作について説明する。
第１３図は、サグキャンセル制御部７０３の動作を説明するための説明図である。
第１３図において、上から、ピックアップ１０１から出力されるピックアップ出力信号Ｓ１０１、ＰＬＬ７０５から出力されるＰＬＬのステート信号Ｓ７０５、サグキャンセル制御部７０３から出力されるサグキャンセル制御信号Ｓ７０３を示す。
サグキャンセル制御部７０３は、ＰＬＬ７０５から出力されるＰＬＬのステート信号Ｓ７０５を受けると、当該ステート信号Ｓ７０６に基づいて、位相追従ＮＧの期間を異常な信号、位相追従ＯＫの期間を正常な信号と判断し、第１３図に示すサグキャンセル制御信号Ｓ７０３をサグキャンセル部１０４に出力する。
その後、サグキャンセル部１０４では、前記実施の形態１で説明したように、サグキャンセル制御部７０３から出力されるサグキャンセル制御信号Ｓ７０３に基づいて、ピックアップ出力信号Ｓ１０１のトランジェント補正を行うか否かを決定し、トランジェント補正が必要な信号に対してのみトランジェント補正を行う。
以上のように、本発明の実施の形態７による情報再生装置によれば、サグキャンセル制御部７０３がピックアップ出力信号Ｓ１０１の正常・異常をＰＬＬ７０５から出力されるＰＬＬのステート信号Ｓ７０５に基づいて検出し、ピックアップ出力信号Ｓ１０１が異常であると検出された期間についてのみ、サグキャンセル部１０４によりトランジェント補正を行うことにより、正常な信号部に対してトランジェント補正を行うことによる信号品質の劣化を防止することができるとともに、異常な信号部については適切なトランジェント補正を行うことができ、サグキャンセル部１０４から安定した再生信号Ｓ７０４を得ることが可能になる。
また、本発明の実施の形態７による情報再生装置では、実施の形態１による情報再生装置を例にとってサグキャンセル制御部７０３が、ＰＬＬから出力されるＰＬＬのステート信号に基づいて、ピックアップ出力信号の正常・異常を検出するものについて説明したが、本実施の形態７で説明したサグキャンセル制御部７０３による処理を、本発明の実施の形態２から５で説明した情報再生装置に対して同様に適用してもよい。
【産業上の利用可能性】  本発明によれば、ピックアップ出力信号が異常である期間についてのみトランジェント補正を行うため、正常な信号部における再生信号の品質劣化を低減することができ、安定した再生信号を得ることができる。
【図１】
2004102540.tif 000003
【図２】
2004102540.tif 000004
【図３】
2004102540.tif 000005
【図４】
2004102540.tif 000006
【図５】
2004102540.tif 000007
【図６】
2004102540.tif 000008
【図７】
2004102540.tif 000009
【図８】
2004102540.tif 000010
【図９】
2004102540.tif 000011
【図１０】
2004102540.tif 000012
【図１１】
2004102540.tif 000013
【図１２】
2004102540.tif 000014
【図１３】
2004102540.tif 000015
【手続補正書】
【提出日】平成16年12月17日(2004.12.17)
【手続補正１】
【補正対象書類名】特許請求の範囲
【補正対象項目名】全文
【補正方法】変更
【補正の内容】
【特許請求の範囲】
【請求項１】
媒体に記録された情報を再生する情報再生装置において、
媒体に記録された情報を抽出し、抽出した信号を出力するピックアップと、
前記ピックアップから出力される信号のトランジェント状態を検出し、該検出結果をトランジェント状態検出信号として出力するサグ検出部と、
前記ピックアップから出力される信号の正常・異常を検出するサグキャンセル制御部と、
前記サグキャンセル制御部が正常と判断する期間については、前記ピックアップから出力される信号のトランジェント補正を行わず、前記サグキャンセル制御部が異常と判断する期間についてのみ、前記サグ検出部から出力されるトランジェント状態検出信号に基づいて前記ピックアップから出力される信号のトランジェント補正を行うサグキャンセル部とを備える、
ことを特徴とする情報再生装置。
【請求項２】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ＡＤ変換部から出力されるデジタル信号のトランジェント状態を検出し、該検出結果をトランジェント状態検出信号として出力するサグ検出部と、
前記ＡＤ変換部から出力されるデジタル信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項３】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ピックアップから出力される信号のトランジェント状態を検出し、該検出結果をトランジェント状態検出信号として出力するサグ検出部と、
前記ＡＤ変換部から出力されるデジタル信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項４】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ＡＤ変換部から出力されるデジタル信号のトランジェント状態を検出し、該検出結果をトランジェント状態検出信号として出力するサグ検出部と、
前記ピックアップから出力される信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項５】
媒体に記録された情報を再生する情報再生装置において、
媒体に記録された情報を抽出し、抽出した信号を出力するピックアップと、
前記ピックアップから出力される信号をアナログデジタル変換するＡＤ変換部と、
前記ピックアップから出力される信号のトランジェント状態を検出し、該検出結果をトランジェント状態検出信号として出力するサグ検出部と、
前記ピックアップから出力される信号の正常・異常を検出するサグキャンセル制御部と、
前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備える、
ことを特徴とする情報再生装置。
【請求項６】
請求項１から請求項５の何れかに記載の情報再生装置において、
前記サグキャンセル制御部は、前記ピックアップから出力される信号から検出される欠陥情報に基づいて前記ピックアップから出力される信号の正常・異常を判断する、
ことを特徴とする情報再生装置。
【請求項７】
請求項１から請求項５の何れかに記載の情報再生装置において、
前記サグキャンセル制御部は、前記ピックアップがデトラック状態になったことを示すデトラック検出情報に基づいて、前記ピックアップから出力される信号の正常・異常を判断する、
ことを特徴とする情報再生装置。
【請求項８】
請求項１から請求項５の何れかに記載の情報再生装置において、
前記サグキャンセル制御部は、ピックアップがデトラック状態になったことを示すデトラック検出情報及び前記ピックアップから出力される信号から検出される欠陥情報に基づいて、前記ピックアップで抽出された信号の正常・異常を判断する、
ことを特徴とする情報再生装置。
【請求項９】
請求項６または請求項８に記載の情報再生装置において、
前記サグキャンセル制御部は、前記欠陥情報が示す欠陥期間を所定の期間さらに延長し、該延長してなる期間を、前記ピックアップで抽出された信号が異常である期間と判断する、
ことを特徴とする情報再生装置。
【請求項１０】
請求項１から請求項５の何れかに記載の情報再生装置において、
前記サグキャンセル制御部は、前記ピックアップから出力される信号の振幅情報に基づいて、前記ピックアップから出力される信号の正常・異常を判断する、
ことを特徴とする情報再生装置。
【請求項１１】
請求項１から請求項５の何れかに記載の情報再生装置において、
前記サグキャンセル部から出力される信号の２値化信号を基準周波数に追従させるＰＬＬを備え、
前記サグキャンセル制御部は、前記ＰＬＬから出力されるステート情報に基づいて、前記ピックアップで抽出された信号の正常・異常を判断する、
ことを特徴とする情報再生装置。
【請求項１２】
ディスクに記録された情報を再生する情報再生方法において、
ディスクからの信号のトランジェント状態を検出し、該検出結果をトランジェント状態検出信号として出力するサグ検出ステップと、
ディスクからの信号の正常・異常を検出するサグキャンセル制御ステップと、
前記サグキャンセル制御ステップで正常と判断された期間については、前記ディスクからの信号のトランジェント補正を行わず、前記サグキャンセル制御ステップで異常と判断された期間についてのみ、前記トランジェント状態検出信号に基づいて、前記ディスクからの信号のトランジェント補正を行うサグキャンセルステップと、を有する、
ことを特徴とする情報再生方法。
【手続補正２】
【補正対象書類名】明細書
【補正対象項目名】全文
【補正方法】変更
【補正の内容】
【発明の詳細な説明】
【技術分野】
【０００１】
本発明は、再生データの信号品質を改善する情報再生装置に関し、特に、ピックアップで抽出した信号のトランジェントの補正を行うことにより信号劣化の少ない再生データを得る情報再生装置に関するものである。
【背景技術】
【０００２】
情報再生装置の市場が成長している現在、情報再生装置には高い再生信号の品質が望まれている。再生信号の品質が望まれている中で情報を再生するにあたって、記録媒体に媒体の欠陥やごみ、指紋等が付着しているとピックアップで抽出した信号が不安定になることがある。しかし、このような状態が発生しても安定に情報を再生できなければ、再生信号品質のよい情報再生装置を構成することができない。
【０００３】
そのため、例えば、特開平１０−１０６１６０号公報に示すような従来の情報再生装置では、ピックアップのトランジェント状態を補正するサグキャンセルを常時実行することにより、不安定な再生状態に対応して適切な再生信号を得ていた。
【０００４】
そして、このような信号のトランジェント補正を行うサグキャンセルは、欠陥通過後の再生信号の安定性を向上させるために非常に有効な手段であった。
【０００５】
しかしながら、従来の情報再生装置では、常にピックアップで抽出された信号に対してトランジェント補正を行っていたため、欠陥部の再生信号品質は向上するが、欠陥部以外の信号も圧縮されるため、実際の信号ジッタが悪化する可能性が高いといった問題点を有していた。
【０００６】
本発明は、前記課題に鑑みてなされたものであり、欠陥通過後の再生信号の安定性を向上させつつ、欠陥の無い正常な信号部においても品質劣化の少ない情報再生装置を提供することを目的とする。
【発明の開示】
【０００７】
本発明の請求項１にかかる情報再生装置は、媒体に記録された情報を再生する情報再生装置において、媒体に記録された情報を抽出し、抽出した信号を出力するピックアップと、前記ピックアップから出力される信号のトランジェント状態を検出し、該検出結果をトランジェント状態検出信号として出力するサグ検出部と、前記ピックアップから出力される信号の正常・異常を検出するサグキャンセル制御部と、前記サグキャンセル制御部が正常と判断する期間については、前記ピックアップから出力される信号のトランジェント補正を行わず、前記サグキャンセル制御部が異常と判断する期間についてのみ、前記サグ検出部から出力されるトランジェント状態検出信号に基づいて前記ピックアップから出力される信号のトランジェント補正を行うサグキャンセル部とを備えることを特徴とするものである。
【０００８】
そして、この請求項１にかかる情報再生装置によれば、正常な信号部に対してトランジェント補正を行うことによる信号品質の劣化を防止することができるとともに、異常な信号部については適切なトランジェント補正を行うことができるため、サグキャンセル部から安定した再生信号を得ることが可能になる。
【０００９】
また、本発明の請求項２にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ＡＤ変換部から出力されるデジタル信号のトランジェント状態を検出し、該検出結果をトランジェント状態検出信号として出力するサグ検出部と、前記ＡＤ変換部から出力されるデジタル信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
【００１０】
そして、この請求項２にかかる情報再生装置によれば、サグ検出部、サグキャンセル制御部、及びサグキャンセル部をデジタル回路により構成できるため、プロセスシュリンクに強い回路構成を得ることができるとともに、サグ検出部、サグキャンセル制御部、及びサグキャンセル部をアナログ回路で構成した時と異なり、コンデンサ等が不要となるため回路面積の低減を図ることが可能になる。
【００１１】
また、本発明の請求項３にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ピックアップから出力される信号のトランジェント状態を検出し、該検出結果をトランジェント状態検出信号として出力するサグ検出部と、前記ＡＤ変換部から出力されるデジタル信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
【００１２】
そして、この請求項３にかかる情報再生装置によれば、サグ検出部の応答性能を保持しつつ、サグキャンセル制御部、及びサグキャンセル部をデジタル回路により構成できるため、プロセスシュリンクに強い回路構成を得ることができるとともに、サグキャンセル制御部、及びサグキャンセル部をアナログ回路で構成した時と異なり、コンデンサ等が不要となるため回路面積の低減を図ることが可能になる。
【００１３】
また、本発明の請求項４にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ＡＤ変換部から出力されるデジタル信号のトランジェント状態を検出し、該検出結果をトランジェント状態検出信号として出力するサグ検出部と、前記ピックアップから出力される信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
【００１４】
そして、この請求項４にかかる情報再生装置によれば、サグキャンセル制御部の応答性能を保持しつつ、サグ検出部、及びサグキャンセル部をデジタル回路により構成できるため、プロセスシュリンクに強い回路構成を得ることができるとともに、サグ検出部、及びサグキャンセル部をアナログ回路で構成した時と異なり、コンデンサ等が不要となるため回路面積の低減を図ることが可能になる。
【００１５】
また、本発明の請求項５にかかる情報再生装置は、媒体に記録された情報を再生する情報再生装置において、媒体に記録された情報を抽出し、抽出した信号を出力するピックアップと、前記ピックアップから出力される信号をアナログデジタル変換するＡＤ変換部と、前記ピックアップから出力される信号のトランジェント状態を検出し、該検出結果をトランジェント状態検出信号として出力するサグ検出部と、前記ピックアップから出力される信号の正常・異常を検出するサグキャンセル制御部と、前記サグキャンセル制御部が正常と判断する期間については、前記ＡＤ変換部から出力されるデジタル信号のトランジェント補正を行わず、前記サグキャンセル制御部が異常と判断する期間についてのみ、前記サグ検出部から出力されるトランジェント状態検出信号に基づいて前記ＡＤ変換部から出力されるデジタル信号のトランジェント補正を行うサグキャンセル部とを備えることを特徴とするものである。
【００１６】
そして、この請求項５にかかる情報再生装置によれば、サグ検出部、及びサグキャンセル制御部の応答性能を保持しつつ、サグキャンセル部をデジタル回路により構成できるため、プロセスシュリンクに強い回路構成を得ることができるとともに、サグキャンセル部をアナログ回路で構成した時と異なり、コンデンサ等が不要となるため回路面積の低減を図ることが可能になる。
【００１７】
また、本発明の請求項６にかかる情報再生装置は、前記サグキャンセル制御部が、前記ピックアップから出力される信号から検出される欠陥情報に基づいて前記ピックアップから出力される信号の正常・異常を判断することを特徴とするものである。
【００１８】
また、本発明の請求項７にかかる情報再生装置は、前記サグキャンセル制御部が、前記ピックアップがデトラック状態になったことを示すデトラック検出情報に基づいて、前記ピックアップから出力される信号の正常・異常を判断することを特徴とするものである。
【００１９】
また、本発明の請求項８にかかる情報再生装置は、前記サグキャンセル制御部が、ピックアップがデトラック状態になったことを示すデトラック検出情報及び前記ピックアップから出力される信号から検出される欠陥情報に基づいて、前記ピックアップで抽出された信号の正常・異常を判断することを特徴とするものである。
【００２０】
また、本発明の請求項９にかかる情報再生装置は、前記サグキャンセル制御部が、前記欠陥情報が示す欠陥期間を所定の期間さらに延長し、該延長してなる期間を、前記ピックアップで抽出された信号が異常である期間と判断することを特徴とするものである。
【００２１】
また、本発明の請求項１０にかかる情報再生装置は、前記サグキャンセル制御部が、前記ピックアップから出力される信号の振幅情報に基づいて、前記ピックアップから出力される信号の正常・異常を判断することを特徴とするものである。
【００２２】
また、本発明の請求項１１にかかる情報再生装置は、前記サグキャンセル部から出力される信号の２値化信号を基準周波数に追従させるＰＬＬをさらに備え、前記サグキャンセル制御部は、前記ＰＬＬから出力されるステート情報に基づいて、前記ピックアップで抽出された信号の正常・異常を判断することを特徴とするものである。
【００２３】
また、本発明の請求項１２にかかる情報再生方法は、ディスクに記録された情報を再生する情報再生方法において、ディスクからの信号のトランジェント状態を検出し、該検出結果をトランジェント状態検出信号として出力するサグ検出ステップと、ディスクからの信号の正常・異常を検出するサグキャンセル制御ステップと、前記サグキャンセル制御ステップで正常と判断された期間については、前記ディスクからの信号のトランジェント補正を行わず、前記サグキャンセル制御ステップで異常と判断された期間についてのみ、前記トランジェント状態検出信号に基づいて、前記ディスクからの信号のトランジェント補正を行うサグキャンセルステップとを有することを特徴とするものである。
【００２４】
そして、この請求項１２にかかる情報再生方法によれば、正常な信号部に対してトランジェント補正を行うことによる信号品質の劣化を防止することができるとともに、異常な信号部については適切なトランジェント補正を行うことができるため、サグキャンセル部から安定した再生信号を得ることが可能になる。
【発明を実施するための最良の形態】
【００２５】
（実施の形態１）
図１は、本発明の実施の形態１による情報再生装置の構成の一例を示すブロック図である。
図１において、本発明にかかる情報再生装置は、ピックアップ１０１と、サグ検出部１０２と、サグキャンセル制御部１０３と、サグキャンセル部１０４とからなる。なお、ここでは、サグ検出部１０２、サグキャンセル制御部１０３、及びサグキャンセル部１０４がアナログ回路で構成されている。
【００２６】
ピックアップ１０１は、媒体に記録された情報を抽出し、抽出した信号Ｓ１０１をサグ検出部１０２、サグキャンセル制御部１０３、及びサグキャンセル部１０４にそれぞれ出力する。
【００２７】
サグ検出部１０２は、ピックアップ出力信号Ｓ１０１のトランジェント状態を検出するものであり、ここでは、ピックアップ出力信号Ｓ１０１のピークエンベロープとボトムエンベロープとの中点からサグを求め、求めたサグをトランジェント状態検出信号Ｓ１０２としてサグキャンセル部１０４に出力するものとする。
【００２８】
サグキャンセル制御部１０３は、ピックアップ出力信号Ｓ１０１の正常・異常を検出するものであり、ここでは、ピックアップ出力信号Ｓ１０１から欠陥情報を検出した後、欠陥部分を異常な信号、欠陥部分以外を正常な信号と判断し、ピックアップ出力信号Ｓ１０１の正常・異常を示すサグキャンセル制御信号Ｓ１０３としてサグキャンセル部１０４に出力する。
【００２９】
サグキャンセル部１０４は、サグキャンセル制御部１０３から出力されるサグキャンセル制御信号Ｓ１０３に基づいて、ピックアップ出力信号Ｓ１０１のトランジェント補正を行うか否かを決定し、トランジェント補正が必要な信号に対してのみトランジェント補正を行うものであり、具体的には、サグキャンセル制御部１０３が正常と判断している期間は、ピックアップ出力信号Ｓ１０１のトランジェント補正を行わず、サグキャンセル制御部１０３が異常と判断した期間にのみ、サグ検出部１０２で検出されたトランジェント状態検出信号Ｓ１０２に基づいて、ピックアップ出力信号Ｓ１０１のトランジェント補正を行うようにし、生成した信号を再生信号Ｓ１０４として出力する。
【００３０】
次に、本発明の実施の形態１による情報再生装置の動作について説明する。
以下に、先ずサグ検出部１０２の動作について説明する。
図２は、サグ検出部１０２の動作を説明するための説明図である。
図２において、上から、ピックアップ１０１から出力されるピックアップ出力信号Ｓ１０１、サグ検出部１０２から出力されるトランジェント状態検出信号Ｓ１０２をそれぞれ示す。
【００３１】
サグ検出部１０２にピックアップ出力信号Ｓ１０１が入力されると、サグ検出部１０２は、先ず、ピックアップ出力信号Ｓ１０１のピークエンベロープとボトムエンベロープを検出（図２の破線）し、（ピークエンベロープ＋ボトムエンベロープ）／２の演算を行い、ピークエンベロープとボトムエンベロープとの中点を算出する。
【００３２】
そして、このようにしてピークエンベロープとボトムエンベロープの中点から求められたサグを、サグ検出部１０２は、トランジェント状態検出信号Ｓ１０２としてサグキャンセル部１０４に出力する。
【００３３】
次に、サグキャンセル制御部１０３の動作について説明する。
図３は、サグキャンセル制御部１０３の動作を説明するための説明図である。
図３において、上から、ピックアップ１０１から出力されるピックアップ出力信号Ｓ１０１、サグキャンセル制御部１０３で検出された欠陥情報、サグキャンセル制御部１０３から出力されるサグキャンセル制御信号Ｓ１０３をそれぞれ示す。
【００３４】
サグキャンセル制御部１０３にピックアップ出力信号Ｓ１０１が入力されると、サグキャンセル制御部１０３は、先ず、欠陥情報の検出を行う。
欠陥情報の検出の具体例としては、例えば、サグキャンセル制御部１０３が、ピックアップ出力信号Ｓ１０１と欠陥検出用のスライスレベルとを比較し、欠陥検出用のスライスレベルより信号レベルが暗い方に表れる場合に、当該信号を欠陥情報として検出するものが考えられる。なお、図３では、ピックアップ出力信号Ｓ１０１のセンターレベルを欠陥検出用のスライスレベルとし、ピックアップ出力信号Ｓ１０１のピークエンベロープが欠陥検出用のスライスレベルより暗い方に表れた場合に欠陥情報として検出するようにしている。
【００３５】
次に、サグキャンセル制御部１０３は、検出した欠陥情報に基づいて、欠陥であることが検出された期間を異常な信号、欠陥が検出されなかった期間を正常な信号と判断し、図３に示すサグキャンセル制御信号Ｓ１０３をサグキャンセル部１０４に出力する。
【００３６】
最後に、サグキャンセル部１０４の動作について説明する。
図４は、サグキャンセル部１０４の動作を説明するための説明図である。
図４において、上から、ピックアップ１０１から出力されるピックアップ出力信号Ｓ１０１、サグ検出部１０２から出力されるトランジェント状態検出信号Ｓ１０２、サグキャンセル制御部１０３から出力されるサグキャンセル制御信号Ｓ１０３、サグキャンセル部１０４から出力される再生信号Ｓ１０４をそれぞれ示す。
【００３７】
サグキャンセル部１０４は、先ず、サグキャンセル制御部１０３から出力されるサグキャンセル制御信号Ｓ１０３に基づいて、ピックアップ出力信号Ｓ１０１のトランジェント補正を行うか否かを決定する。
【００３８】
具体的には、サグキャンセル制御信号Ｓ１０３が正常を示している期間はトランジェント補正を行わず、サグキャンセル制御信号Ｓ１０３が異常を示している期間についてのみトランジェント補正を行う。
【００３９】
そして、サグキャンセル部１０４は、サグキャンセル制御信号Ｓ１０３が正常であることを示している期間については、ピックアップ出力信号Ｓ１０１をそのまま再生信号Ｓ１０４として出力し、正常な信号部に対してトランジェント補正を行うことによる信号品質の劣化を防止する。
【００４０】
一方で、サグキャンセル部１０４は、サグキャンセル制御信号Ｓ１０３が異常であることを示している期間については、ピックアップ出力信号Ｓ１０１のトランジェント補正を行い、補正後の信号を再生信号Ｓ１０４として出力する。
【００４１】
なお、サグキャンセル部１０４によるピックアップ出力信号Ｓ１０１のトランジェント補正は、サグ検出部１０２で検出されたトランジェント状態検出信号Ｓ１０２を信号のセンターレベルに近づけるように、ピックアップ出力信号Ｓ１０１を補正することにより行われる。
【００４２】
以上のように、本発明の実施の形態１による情報再生装置によれば、サグキャンセル制御部１０３がピックアップ出力信号Ｓ１０１の正常・異常を欠陥情報に基づいて検出し、ピックアップ出力信号Ｓ１０１が異常であると検出された期間についてのみ、サグキャンセル部１０４によりトランジェント補正を行うことにより、正常な信号部に対してトランジェント補正を行うことによる信号品質の劣化を防止することができるとともに、異常な信号部については適切なトランジェント補正を行うことができ、サグキャンセル部１０４から安定した再生信号Ｓ１０４を得ることが可能になる。
【００４３】
なお、本発明の実施の形態１による情報再生装置では、サグ検出部１０２が、ピークエンベロープとボトムエンベロープの中点を検出し、サグキャンセル部１０４が、該検出したサグ検出部１０２がピークエンベロープとボトムエンベロープの中点をピックアップ出力信号Ｓ１０１のセンターレベルに近づけるように、ピックアップ出力信号Ｓ１０１のトランジェント補正を行うものについて説明したが、サグ検出部１０２が、ピークエンベロープ、或いはボトムエンベロープのみを検出し、サグキャンセル部１０４が、該検出したピークエンベロープ、或いはボトムエンベロープを、ピックアップ出力信号Ｓ１０１のセンターレベルに近づけるように、ピックアップ出力信号Ｓ１０１のトランジェント補正を行うものの他、サグ検出部１０２が、ピックアップ出力信号Ｓ１０１（ＲＦ信号）のＤＣ成分を検出し、サグキャンセル部１０４が、該検出したピックアップ出力信号Ｓ１０１のＤＣ成分の積算レベルを零に近づけるようにピックアップ出力信号Ｓ１０１のトランジェント補正を行うようにしても良い。
【００４４】
また、本発明の実施の形態１による情報再生装置のサグキャンセル制御部１０３では、欠陥情報の検出方法として、予め定めた欠陥検出用のスライスレベルを用い、ピックアップ出力信号Ｓ１０１のエンベロープが欠陥検出用のスライスレベルより信号レベルが暗い方に表れた場合に当該信号を欠陥情報として検出するものについて説明したが、欠陥情報の検出方法としては他のいかなる方法を用いてもよく、例えば、図３に示したように検出した欠陥情報を、図５に示すように、予め設定した所定の時間延長して、サグキャンセル制御信号Ｓ１０３の異常と判断される期間を前記所定の期間分延長することにより、サグキャンセル制御部１０３の応答遅延による誤差を補償するようにしてもよい。
【００４５】
また、発明の実施の形態１による情報再生装置のサグキャンセル制御部１０３では、欠陥情報を用いてピックアップ１０１から出力される信号の正常・異常を判断するものについて説明したが、例えば、サグキャンセル制御部１０３が、ピックアップ１０１から出力される信号の出力振幅情報を検出し、出力振幅が予め定めた所定の振幅より小さい部分を異常な信号、それ以外の部分を正常な信号と判断し、ピックアップ出力信号Ｓ１０１の正常・異常を示すサグキャンセル制御信号Ｓ１０３としてサグキャンセル部１０４に出力するようにしてもよい。
【００４６】
（実施の形態２）
図６は、本発明の実施の形態２による情報再生装置の構成の一例を示すブロック図である。
図６において、本発明の実施の形態２にかかる情報再生装置は、ピックアップ２０１と、サグ検出部２０２と、サグキャンセル制御部２０３と、サグキャンセル部２０４と、ＡＤ変換部２０５とからなる。なお、ここでは、サグ検出部２０２、サグキャンセル制御部２０３、及びサグキャンセル部２０４がデジタル回路で構成されている。
【００４７】
ピックアップ２０１は、媒体に記録された情報を抽出し、抽出した信号Ｓ２０１をＡＤ変換部２０５に出力する。
【００４８】
ＡＤ変換部２０５は、ピックアップ出力信号Ｓ２０１をＡＤ変換し、デジタル化したピックアップ出力信号であるデジタル出力信号Ｓ２０５をサグ検出部２０２、サグキャンセル制御部２０３、及びサグキャンセル部２０４にそれぞれ出力する。
【００４９】
サグ検出部２０２は、デジタル出力信号Ｓ２０５のトランジェント状態を検出し、検出したトランジェント状態をトランジェント状態検出信号Ｓ２０２としてサグキャンセル部２０４に出力する。
【００５０】
サグキャンセル制御部２０３は、デジタル出力信号Ｓ２０５の正常・異常を検出し、デジタル出力信号Ｓ２０５の正常・異常を示すサグキャンセル制御信号Ｓ２０３をサグキャンセル部２０４に出力する。
【００５１】
サグキャンセル部２０４は、サグキャンセル制御部２０３から出力されるサグキャンセル制御信号Ｓ２０３に基づいて、デジタル出力信号Ｓ２０５が正常である期間は、ＡＤ変換部２０５から出力されるデジタル出力信号Ｓ２０５のトランジェント補正を行わず、デジタル出力信号Ｓ２０５が異常である期間についてのみ、サグ検出部から出力されるトランジェント状態検出信号Ｓ２０２に基づいて、ＡＤ変換部２０５から出力されるデジタル出力信号Ｓ２０５のトランジェント補正を行うようにし、生成した信号を再生信号Ｓ２０４として出力する。
【００５２】
なお、本発明の実施の形態２による情報再生装置は、サグ検出部２０２、サグキャンセル制御部２０３、及びサグキャンセル部２０４の入力信号が、ピックアップ２０１から出力されるピックアップ出力信号Ｓ２０１ではなく、ピックアップ出力信号Ｓ２０１のＡＤ変換後の信号Ｓ２０５である点において、前記実施の形態１による情報再生装置と異なるが、サグ検出部２０２、サグキャンセル制御部２０３、及びサグキャンセル部２０４の基本動作は、前記実施の形態１で説明したものと同様である。
【００５３】
以上のように、本発明の実施の形態２による情報再生装置によれば、ピックアップ２０１からのピックアップ出力信号Ｓ２０１をＡＤ変換するＡＤ変換部２０５を設け、サグ検出部２０２、サグキャンセル制御部２０３、及びサグキャンセル部２０４をデジタル回路により構成したことにより、プロセスシュリンクに強い回路構成を得ることができるとともに、サグ検出部２０２、サグキャンセル制御部２０３、及びサグキャンセル部２０４をアナログ回路で構成した時と異なり、コンデンサ等が不要となるため回路面積の低減を図ることが可能になる。
【００５４】
（実施の形態３）
図７は、本発明の実施の形態３による情報再生装置の構成の一例を示すブロック図である。
図７において、本発明の実施の形態３にかかる情報再生装置は、ピックアップ３０１と、サグ検出部３０２と、サグキャンセル制御部３０３と、サグキャンセル部３０４と、ＡＤ変換部３０５とからなる。なお、ここでは、サグ検出部３０２がアナログ回路で、サグキャンセル制御部３０３、及びサグキャンセル部３０４がデジタル回路で構成されている。
【００５５】
ピックアップ３０１は、媒体に記録された情報を抽出し、抽出した信号Ｓ３０１をサグ検出部３０２、及びＡＤ変換部３０５にそれぞれ出力する。
【００５６】
ＡＤ変換部３０５は、ピックアップ出力信号Ｓ３０１をＡＤ変換し、デジタル化したピックアップ出力信号であるデジタル出力信号Ｓ３０５をサグキャンセル制御部３０３、及びサグキャンセル部３０４にそれぞれ出力する。
【００５７】
サグ検出部３０２は、ピックアップ出力信号Ｓ３０１のトランジェント状態を検出し、検出したトランジェント状態をトランジェント状態検出信号Ｓ３０２としてサグキャンセル部３０４に出力する。
【００５８】
サグキャンセル制御部３０３は、デジタル出力信号Ｓ３０５の正常・異常を検出し、デジタル出力信号Ｓ３０５の正常・異常を示すサグキャンセル制御信号Ｓ３０３をサグキャンセル部３０４に出力する。
【００５９】
サグキャンセル部３０４は、サグキャンセル制御部３０３から出力されるサグキャンセル制御信号Ｓ３０３に基づいて、デジタル出力信号Ｓ３０５が正常である期間は、ＡＤ変換部３０５から出力されるデジタル出力信号Ｓ３０５のトランジェント補正を行わず、デジタル出力信号Ｓ３０５が異常である期間についてのみ、サグ検出部から出力されるトランジェント状態検出信号Ｓ３０２に基づいて、ＡＤ変換部３０５から出力されるデジタル出力信号Ｓ３０５のトランジェント補正を行うようにし、生成した信号を再生信号Ｓ３０４として出力する。
【００６０】
なお、本発明の実施の形態３による情報再生装置は、サグキャンセル制御部３０３、及びサグキャンセル部３０４の入力信号が、ピックアップ３０１から出力されるピックアップ出力信号Ｓ３０１ではなく、ピックアップ出力信号Ｓ３０１のＡＤ変換後の信号Ｓ３０５である点において、前記実施の形態１による情報再生装置と異なるが、サグ検出部３０２、サグキャンセル制御部３０３、及びサグキャンセル部３０４の基本動作は、前記実施の形態１で説明したものと同様である。
【００６１】
以上のように、本発明の実施の形態３による情報再生装置によれば、ピックアップ３０１からのピックアップ出力信号Ｓ３０１をＡＤ変換するＡＤ変換部３０５を設け、サグキャンセル制御部３０３、及びサグキャンセル部３０４をデジタル回路により構成したことにより、サグ検出部３０２の応答性能を保持しつつ、デジタル回路により構成したサグキャンセル制御部３０３、及びサグキャンセル部３０４については、プロセスシュリンクに強い回路構成を得ることができる。また、サグキャンセル制御部３０３、及びサグキャンセル部３０４をアナログ回路で構成した時と異なり、コンデンサ等が不要となるため回路面積の低減を図ることが可能になる。
【００６２】
（実施の形態４）
図８は、本発明の実施の形態４による情報再生装置の構成の一例を示すブロック図である。
図８において、本発明の実施の形態４にかかる情報再生装置は、ピックアップ４０１と、サグ検出部４０２と、サグキャンセル制御部４０３と、サグキャンセル部４０４と、ＡＤ変換部４０５とからなる。なお、ここでは、サグキャンセル制御部４０３がアナログ回路で、サグ検出部４０２、及びサグキャンセル部４０４がデジタル回路で構成されている。
【００６３】
ピックアップ４０１は、媒体に記録された情報を抽出し、抽出した信号Ｓ４０１をサグキャンセル制御部４０３、及びＡＤ変換部４０５にそれぞれ出力する。
【００６４】
ＡＤ変換部４０５は、ピックアップ出力信号Ｓ４０１をＡＤ変換し、デジタル化したピックアップ出力信号であるデジタル出力信号Ｓ４０５をサグ検出部４０２、及びサグキャンセル部４０４にそれぞれ出力する。
【００６５】
サグ検出部４０２は、デジタル出力信号Ｓ４０５のトランジェント状態を検出し、検出したトランジェント状態をトランジェント状態検出信号Ｓ４０２としてサグキャンセル部４０４に出力する。
【００６６】
サグキャンセル制御部４０３は、ピックアップ出力信号Ｓ４０１の正常・異常を検出し、ピックアップ出力信号Ｓ４０１の正常・異常を示すサグキャンセル制御信号Ｓ４０３をサグキャンセル部４０４に出力する。
【００６７】
サグキャンセル部４０４は、サグキャンセル制御部４０３から出力されるサグキャンセル制御信号Ｓ４０３に基づいて、デジタル出力信号Ｓ４０５が正常である期間は、ＡＤ変換部４０５から出力されるデジタル出力信号Ｓ４０５のトランジェント補正を行わず、デジタル出力信号Ｓ４０５が異常である期間についてのみ、サグ検出部から出力されるトランジェント状態検出信号Ｓ４０２に基づいて、ＡＤ変換部４０５から出力されるデジタル出力信号Ｓ４０５のトランジェント補正を行うようにし、生成した信号を再生信号Ｓ４０４として出力する。
【００６８】
なお、本発明の実施の形態４による情報再生装置は、サグ検出部４０２、及びサグキャンセル部４０４の入力信号が、ピックアップ４０１から出力されるピックアップ出力信号Ｓ４０１ではなく、ピックアップ出力信号Ｓ４０１のＡＤ変換後の信号Ｓ４０５である点において、前記実施の形態１による情報再生装置と異なるが、サグ検出部４０２、サグキャンセル制御部４０３、及びサグキャンセル部４０４の基本動作は、前記実施の形態１で説明したものと同様である。
【００６９】
以上のように、本発明の実施の形態４による情報再生装置によれば、ピックアップ４０１からのピックアップ出力信号Ｓ４０１をＡＤ変換するＡＤ変換部４０５を設け、サグ検出部４０２、及びサグキャンセル部４０４をデジタル回路により構成したことにより、アナログ回路で構成されたサグキャンセル制御部４０３の応答性能を保持しつつ、デジタル回路により構成したサグ検出部４０２、及びサグキャンセル部４０４については、プロセスシュリンクに強い回路構成を得ることができる。また、サグ検出部４０２、及びサグキャンセル部４０４をアナログ回路で構成した時と異なり、コンデンサ等が不要となるため回路面積の低減を図ることが可能になる。
【００７０】
（実施の形態５）
図９は、本発明の実施の形態５による情報再生装置の構成の一例を示すブロック図である。
図９において、本発明の実施の形態５にかかる情報再生装置は、ピックアップ５０１と、サグ検出部５０２と、サグキャンセル制御部５０３と、サグキャンセル部５０４と、ＡＤ変換部５０５とからなる。なお、ここでは、サグ検出部５０２、及びサグキャンセル制御部５０３がアナログ回路で、サグキャンセル部５０４がデジタル回路で構成されている。
【００７１】
ピックアップ５０１は、媒体に記録された情報を抽出し、抽出した信号Ｓ５０１をサグ検出部５０２、サグキャンセル制御部５０３、及びＡＤ変換部５０５にそれぞれ出力する。
【００７２】
ＡＤ変換部５０５は、ピックアップ出力信号Ｓ５０１をＡＤ変換し、デジタル化したピックアップ出力信号であるデジタル出力信号Ｓ５０５をサグキャンセル部５０４に出力する。
【００７３】
サグ検出部５０２は、ピックアップ出力信号Ｓ５０１のトランジェント状態を検出し、検出したトランジェント状態をトランジェント状態検出信号Ｓ５０２としてサグキャンセル部５０４に出力する。
【００７４】
サグキャンセル制御部５０３は、ピックアップ出力信号Ｓ５０１の正常・異常を検出し、ピックアップ出力信号Ｓ５０１の正常・異常を示すサグキャンセル制御信号Ｓ５０３をサグキャンセル部５０４に出力する。
【００７５】
サグキャンセル部５０４は、サグキャンセル制御部５０３から出力されるサグキャンセル制御信号Ｓ５０３に基づいて、デジタル出力信号Ｓ５０５が正常である期間は、ＡＤ変換部５０５から出力されるデジタル出力信号Ｓ５０５のトランジェント補正を行わず、デジタル出力信号Ｓ５０５が異常である期間についてのみ、サグ検出部から出力されるトランジェント状態検出信号Ｓ５０２に基づいて、ＡＤ変換部５０５から出力されるデジタル出力信号Ｓ５０５のトランジェント補正を行うようにし、生成した信号を再生信号Ｓ５０４として出力する。
【００７６】
なお、本発明の実施の形態５による情報再生装置は、サグキャンセル部５０４の入力信号が、ピックアップ５０１から出力されるピックアップ出力信号Ｓ５０１ではなく、ピックアップ出力信号Ｓ５０１のＡＤ変換後の信号Ｓ５０５である点において、前記実施の形態１による情報再生装置と異なるが、サグ検出部５０２、サグキャンセル制御部５０３、及びサグキャンセル部５０４の基本動作は、前記実施の形態１で説明したものと同様である。
【００７７】
以上のように、本発明の実施の形態５による情報再生装置によれば、ピックアップ５０１からのピックアップ出力信号Ｓ５０１をＡＤ変換するＡＤ変換部５０５を設け、サグキャンセル部５０４をデジタル回路により構成したことにより、アナログ回路で構成されたサグ検出部５０２、及びサグキャンセル制御部５０３の応答性能を保持しつつ、デジタル回路により構成したサグキャンセル部５０４については、プロセスシュリンクに強い回路構成を得ることができる。また、サグキャンセル部５０４をアナログ回路で構成した時と異なり、コンデンサ等が不要となるため回路面積の低減を図ることが可能になる。
【００７８】
（実施の形態６）
次に、本発明の実施の形態６による情報再生装置として、前記実施の形態１で説明したサグキャンセル制御部１０３の別形態として、サグキャンセル制御部が、ピックアップがデトラック状態になったことを示すデトラック検出信号に基づいて、ピックアップ出力信号の正常・異常を検出するものについて説明する。
【００７９】
図１０は、本発明の実施の形態６による情報再生装置の構成の一例を示すブロック図である。
図１０において、本発明にかかる情報再生装置は、ピックアップ１０１と、サグ検出部１０２と、サグキャンセル制御部６０３と、サグキャンセル部１０４とからなる。なお、本発明の実施の形態６による情報再生装置において、前記本発明の実施の形態１による情報再生装置と同じ構成要素については、同じ符号を付し、ここでは説明を省略する。
【００８０】
サグキャンセル制御部６０３は、ピックアップ出力信号Ｓ１０１の正常・異常を検出するものであり、ここでは、ピックアップ１０１を制御するピックアップ駆動部６０５で検出されたデトラック検出信号Ｓ６０５に基づいて、デトラック部分を異常な信号、デトラック部分以外を正常な信号と判断し、ピックアップ出力信号Ｓ１０１の正常・異常を示すサグキャンセル制御信号Ｓ６０３としてサグキャンセル部１０４に出力する。
【００８１】
なお、ピックアップ１０１に設けられたピックアップ駆動部６０５は、ピックアップ１０１の駆動を制御するとともに、ピックアップがデトラック状態になったことを検出し、該検出したデトラック検出情報をデトラック検出信号Ｓ６０５としてサグキャンセル制御部６０３に出力する。
【００８２】
次に、サグキャンセル制御部６０３の動作について説明する。
図１１は、サグキャンセル制御部６０３の動作を説明するための説明図である。
図１１において、上から、ピックアップ１０１から出力されるピックアップ出力信号Ｓ１０１、ピックアップ駆動部６０５から出力されるデトラック検出信号Ｓ６０５、サグキャンセル制御部６０３から出力されるサグキャンセル制御信号Ｓ６０３を示す。
【００８３】
サグキャンセル制御部６０３は、ピックアップの駆動を制御するピックアップ駆動部６０５からピックアップがデトラック状態になったことを示すデトラック検出信号Ｓ６０５を受けると、当該デトラック検出信号Ｓ６０５に基づいて、デトラック部分を異常な信号、デトラック部分以外を正常な信号と判断し、図１１に示すサグキャンセル制御信号Ｓ６０３をサグキャンセル部１０４に出力する。
【００８４】
その後、サグキャンセル部１０４では、前記実施の形態１で説明したように、サグキャンセル制御部６０３から出力されるサグキャンセル制御信号Ｓ６０３に基づいて、ピックアップ出力信号Ｓ１０１のトランジェント補正を行うか否かを決定し、トランジェント補正が必要な信号に対してのみトランジェント補正を行う。
【００８５】
以上のように、本発明の実施の形態６による情報再生装置によれば、サグキャンセル制御部６０３がピックアップ出力信号Ｓ１０１の正常・異常をピックアップ駆動部６０５で検出されるデトラック検出信号Ｓ６０５に基づいて検出し、ピックアップ出力信号Ｓ１０１が異常であると検出された期間についてのみ、サグキャンセル部１０４によりトランジェント補正を行うことにより、正常な信号部に対してトランジェント補正を行うことによる信号品質の劣化を防止することができるとともに、異常な信号部については適切なトランジェント補正を行うことができ、サグキャンセル部１０４から安定した再生信号Ｓ６０４を得ることが可能になる。
【００８６】
なお、本発明の実施の形態６による情報再生装置では、サグキャンセル制御部６０３が、ピックアップ駆動部６０５で検出されるデトラック検出信号Ｓ６０５に基づいてサグキャンセル制御信号Ｓ６０３を生成するものについて説明したが、サグキャンセル制御部６０３が、前記デトラック検出信号Ｓ６０５と前記実施の形態１で説明した欠陥情報とに基づいて、デトラック或いは欠陥のいずれかが検出された期間を異常な信号と判断するようにしてサグキャンセル制御信号Ｓ６０３を生成するようにしてもよい。
【００８７】
また、本発明の実施の形態６による情報再生装置では、実施の形態１による情報再生装置を例にとってサグキャンセル制御部６０３が、ピックアップ１０１がデトラック状態になったことを示すデトラック検出信号に基づいて、ピックアップ出力信号の正常・異常を検出するものについて説明したが、本実施の形態６で説明したサグキャンセル制御部６０３による処理を、本発明の実施の形態２から５で説明した情報再生装置に対して同様に適用してもよい。
【００８８】
（実施の形態７）
次に、本発明の実施の形態７による情報再生装置として、前記実施の形態１で説明したサグキャンセル制御部１０３の別形態として、サグキャンセル制御部が、ＰＬＬから出力されるＰＬＬのステート信号に基づいて、ピックアップ出力信号の正常・異常を検出するものについて説明する。
【００８９】
図１２は、本発明の実施の形態７による情報再生装置の構成の一例を示すブロック図である。
図１２において、本発明にかかる情報再生装置は、ピックアップ１０１と、サグ検出部１０２と、サグキャンセル制御部７０３と、サグキャンセル部１０４と、ＰＬＬ７０５からなる。なお、本発明の実施の形態７による情報再生装置において、前記本発明の実施の形態１による情報再生装置と同じ信号及び構成要素については、同じ符号を付し、ここでは説明を省略する。
【００９０】
ＰＬＬ７０５は、サグキャンセル部１０４から出力される再生信号Ｓ７０４の２値化信号を基準周波数に追従させるＰＬＬ処理を行うものであり、該ＰＬＬ処理における周波数追従や位相追従の状態を示すステート情報をサグキャンセル制御部７０３にＰＬＬのステート信号Ｓ７０５として出力する。なお、ここでは、ステート信号Ｓ７０５として位相追従の状態を示す信号が出力されるものについて説明するが、ステート信号Ｓ７０５としては、この他に周波数追従の状態や、周波数追従と位相追従の両状態を示す信号等を用いることが可能である。
【００９１】
サグキャンセル制御部７０３は、ピックアップ出力信号Ｓ１０１の正常・異常を検出するものであり、ここでは、ＰＬＬ７０５から出力されるＰＬＬのステート信号Ｓ７０５に基づいて、位相追従ＮＧの期間を異常な信号、位相追従ＯＫの期間を正常な信号と判断し、ピックアップ出力信号Ｓ１０１の正常・異常を示すサグキャンセル制御信号Ｓ７０３としてサグキャンセル部１０４に出力する。
【００９２】
次に、サグキャンセル制御部７０３の動作について説明する。
図１３は、サグキャンセル制御部７０３の動作を説明するための説明図である。
図１３において、上から、ピックアップ１０１から出力されるピックアップ出力信号Ｓ１０１、ＰＬＬ７０５から出力されるＰＬＬのステート信号Ｓ７０５、サグキャンセル制御部７０３から出力されるサグキャンセル制御信号Ｓ７０３を示す。
【００９３】
サグキャンセル制御部７０３は、ＰＬＬ７０５から出力されるＰＬＬのステート信号Ｓ７０５を受けると、当該ステート信号Ｓ７０６に基づいて、位相追従ＮＧの期間を異常な信号、位相追従ＯＫの期間を正常な信号と判断し、図１３に示すサグキャンセル制御信号Ｓ７０３をサグキャンセル部１０４に出力する。
【００９４】
その後、サグキャンセル部１０４では、前記実施の形態１で説明したように、サグキャンセル制御部７０３から出力されるサグキャンセル制御信号Ｓ７０３に基づいて、ピックアップ出力信号Ｓ１０１のトランジェント補正を行うか否かを決定し、トランジェント補正が必要な信号に対してのみトランジェント補正を行う。
【００９５】
以上のように、本発明の実施の形態７による情報再生装置によれば、サグキャンセル制御部７０３がピックアップ出力信号Ｓ１０１の正常・異常をＰＬＬ７０５から出力されるＰＬＬのステート信号Ｓ７０５に基づいて検出し、ピックアップ出力信号Ｓ１０１が異常であると検出された期間についてのみ、サグキャンセル部１０４によりトランジェント補正を行うことにより、正常な信号部に対してトランジェント補正を行うことによる信号品質の劣化を防止することができるとともに、異常な信号部については適切なトランジェント補正を行うことができ、サグキャンセル部１０４から安定した再生信号Ｓ７０４を得ることが可能になる。
【００９６】
また、本発明の実施の形態７による情報再生装置では、実施の形態１による情報再生装置を例にとってサグキャンセル制御部７０３が、ＰＬＬから出力されるＰＬＬのステート信号に基づいて、ピックアップ出力信号の正常・異常を検出するものについて説明したが、本実施の形態７で説明したサグキャンセル制御部７０３による処理を、本発明の実施の形態２から５で説明した情報再生装置に対して同様に適用してもよい。
【産業上の利用可能性】
【００９７】
本発明によれば、ピックアップ出力信号が異常である期間についてのみトランジェント補正を行うため、正常な信号部における再生信号の品質劣化を低減することができ、安定した再生信号を得ることができる。
【図面の簡単な説明】
【００９８】
【図１】本発明の実施の形態１による情報再生装置の構成の一例を示すブロック図である。
【図２】本発明の実施の形態１による情報再生装置のサグ検出部の動作を説明するための説明図である。
【図３】本発明の実施の形態１による情報再生装置のサグキャンセル制御部の動作を説明するための説明図である。
【図４】本発明の実施の形態１による情報再生装置のサグキャンセル部の動作を説明するための説明図である。
【図５】本発明の実施の形態１による情報再生装置のサグキャンセル制御部の他の動作例を説明するための説明図である。
【図６】本発明の実施の形態２による情報再生装置の構成の一例を示すブロック図である。
【図７】本発明の実施の形態３による情報再生装置の構成の一例を示すブロック図である。
【図８】本発明の実施の形態４による情報再生装置の構成の一例を示すブロック図である。
【図９】本発明の実施の形態５による情報再生装置の構成の一例を示すブロック図である。
【図１０】本発明の実施の形態６による情報再生装置の構成の一例を示すブロック図である。
【図１１】本発明の実施の形態６による情報再生装置のサグキャンセル制御部の動作を説明するための説明図である。
【図１２】本発明の実施の形態７による情報再生装置の構成の一例を示すブロック図である。
【図１３】本発明の実施の形態７による情報再生装置のサグキャンセル制御部の動作を説明するための説明図である。
【手続補正３】
【補正対象書類名】図面
【補正対象項目名】全図
【補正方法】変更
【補正の内容】
【図１】
2004102540.tif 000016
【図２】
2004102540.tif 000017
【図３】
2004102540.tif 000018
【図４】
2004102540.tif 000019
【図５】
2004102540.tif 000020
【図６】
2004102540.tif 000021
【図７】
2004102540.tif 000022
【図８】
2004102540.tif 000023
【図９】
2004102540.tif 000024
【図１０】
2004102540.tif 000025
【図１１】
2004102540.tif 000026
【図１２】
2004102540.tif 000027
【図１３】
2004102540.tif 000028
【国際調査報告】
2004102540.tif 000029
2004102540.tif 000030
2004102540.tif 000031